(57)【特許請求の範囲】
【請求項１】
オーディオデータを含むオーディオパックと、前記オーディオパックを管理する情報を含む管理パック又は関連パックとを有し、前記管理パック又は関連パック内に前記オーディオデータの拍子を表す拍子データを配置したディスクのスクラッチ再生装置であって、
前記ディスクからオーディオパックと管理パックを再生する再生手段と、
前記再生手段により再生される拍子データをデコードする拍子データデコード手段と、
ユーザがスクラッチ再生する際の音楽ソースの拍子の区切りを拍子データで設定するための拍子データ設定手段と、
前記拍子データデコード手段により順次デコードされる拍子データと、前記拍子データ設定手段により設定された拍子データを比較する拍子データ比較手段と、
前記拍子データ比較手段の比較結果が一致するまで前記オーディオデータを順方向と逆方向に飛び飛びに再生するスクラッチ再生手段とを、
備えたディスクのスクラッチ再生装置。
【発明の詳細な説明】
【０００１】
【発明の属する技術分野】
本発明は、音楽ソースのようなアナログ音声信号をＡ／Ｄ変換したオーディオデータが記録されるディスクのスクラッチ再生装置に関する。
【０００２】
【従来の技術】
一般に、音楽ソースのようなアナログ音声信号をＡ／Ｄ変換して記録したディスクとしてはＣＤ（コンパクト・ディスク）やＤＶＤ（デジタル・バーサタイル・ディスク）などが知られている。
【０００３】
【発明が解決しようとする課題】
ところで、アナログオーディオディスクを再生する場合に、ディスクジョッキーなどのオペレータが回転、再生中のディスクを手動操作で早送り、早戻しすることにより、早送り再生、早戻し再生させて原音より高い周波数で再生させるいわゆるスクラッチ再生が知られている。このとき、オペレータはディスクのランダムな位置ではなく、再生中の音楽ソースを聞きながらその拍子（リズム）の出だしなどの区切りで早送りと早戻しを行うようにしている。
【０００４】
しかしながら、ＣＤなどのデジタルディスクでは、手動操作で早回し、早戻しすることは不可能であるので、スクラッチ再生を行うためにはスクラッチ再生モードを設けて音楽ソースの区切りを自動的に検出することが必要になるが、これは困難であり、したがって、この区切りを利用したスクラッチ再生が困難であるという問題点がある。
【０００５】
本発明は上記従来の問題点に鑑み、音楽ソースの拍子の区切りでスクラッチ再生することができるディスクのスクラッチ再生装置を提供することを目的とする。
【０００６】
【課題を解決するための手段】
本発明は上記目的を達成するために、オーディオデータを含むオーディオパックと、前記オーディオパックを管理する情報を含む管理パック又は関連パックとを有し、前記管理パック又は関連パック内に前記オーディオデータの拍子を表す拍子データを配置したディスクのスクラッチ再生装置であって、前記ディスクからオーディオパックと管理パックを再生する再生手段と、前記再生手段により再生される拍子データをデコードする拍子データデコード手段と、ユーザがスクラッチ再生する際の音楽ソースの拍子の区切りを拍子データで設定するための拍子データ設定手段と、前記拍子データデコード手段により順次デコードされる拍子データと、前記拍子データ設定手段により設定された拍子データを比較する拍子データ比較手段と、前記拍子データ比較手段の比較結果が一致するまで前記オーディオデータを順方向と逆方向に飛び飛びに再生するスクラッチ再生手段とを、備えたディスクのスクラッチ再生装置が提供される。
【０００８】
【発明の実施の形態】
以下、図面を参照して本発明の実施の形態を説明する。図１はＤＶＤ−ビデオのフォーマットと、ディスクの一実施形態としてＤＶＤ−オーディオのフォーマットを示す説明図、図２は図１のオーディオコンテンツブロックユニット（ＡＣＢＵ）のフォーマットを示す説明図、図３は図２のオーディオパックとビデオパックのフォーマットを詳しく示す説明図、図４は図２のオーディオコントロール（Ａ−ＣＯＮＴ）パックのフォーマットを詳しく示す説明図、図５は図４のオーディオキャラクタディスプレイ（ＡＣＤ）エリアのフォーマットを詳しく示す説明図、図６は図５のネームスペース情報により表示される例を示す説明図、図７は図４のオーディオサーチデータ（ＡＳＤ）エリアのフォーマットを詳しく示す説明図、図８は図２のオーディオコンテンツブロックユニットの変形例を示す説明図である。また、図９は本発明に係るディスクのスクラッチ再生装置の一実施形態としてＤＶＤ再生装置を示すブロック図、図１０は図９のＤＶＤ再生装置を機能的に示すブロック図、図１１及び図１２はＡ−Ｖ同期再生処理を説明するためのフローチャート、図１３はＤＶＤ再生装置の第２の実施形態を示すブロック図、図１４はＤＶＤ再生装置の第３の実施形態を示すブロック図、図１５はＤＶＤ再生装置内のスクラッチ再生装置を示すブロック図である。
【０００９】
図１（ａ）、（ｂ）はそれぞれＤＶＤ−ビデオ、ＤＶＤ−オーディオの各フォーマットを示し、ＤＶＤ−オーディオのフォーマットはエリアの名称が異なるがＤＶＤ−ビデオと互換性を有する。まず、大別してＤＶＤ−ビデオのフォーマットは先頭のビデオマネージャ（ＶＭＧ）と、それに続く複数のビデオタイトルセット（ＶＴＳ）の各エリアにより構成され、他方、ＤＶＤ−オーディオのフォーマットはこれに対応してオーディオマネージャ（ＡＭＧ）と、ＡＭＧに続く複数のオーディオアルバムセット（ＡＡＳ）の各エリアにより構成されている。
【００１０】
ＶＴＳの各々は先頭のＶＴＳインフォメーション（ＶＴＳＩ）と、それに続く１以上のビデオコンテンツブロックセット（ＶＣＢＳ）と最後のＶＴＳＩにより構成され、他方、ＡＡＳの各々はこれに対応して先頭のＡＡＳインフォメーション（ＡＡＳＩ）と、それに続く１以上のオーディオコンテンツブロックセット（ＡＣＢＳ）と最後のＡＡＳＩにより構成されている。ＡＡＳＩには、ＡＣＢＳ内の各曲の演奏時間が実時間でセットされる。
【００１１】
ＶＣＢＳの各々は複数のＶＣＢにより構成され、他方、ＡＣＢＳの各々は複数のＡＣＢにより構成されている。ＶＣＢの各々はビデオの１タイトル分であり、ＡＣＢの各々はこれに対応してオーディオの１アルバム分である。ＶＣＢの各々（１タイトル）は複数のチャプタにより構成され、他方、ＡＣＢの各々（１アルバム）はこれに対応して複数のトラックにより構成されている。チャプタはパートオブタイトル（ＰＴＴ）を含み、トラックはパートオブアルバム（ＰＴＡ）を含む。
【００１２】
チャプタの各々は複数のセルにより構成され、他方、トラックの各々はこれに対応して複数のインデックスにより構成されている。セルの各々は複数のＶＣＢユニット（ＶＣＢＵ）により構成され、他方、インデックスの各々はこれに対応して複数のＡＣＢユニット（ＡＣＢＵ）により構成されている。ＶＣＢユニットとＡＣＢユニットの各々は、複数のパックにより構成され、１パックは２０４８バイトで構成されている。
【００１３】
ＶＣＢユニットの各々は、先頭のコントロールパック（以下、ＣＯＮＴパック）と、それに続く複数のビデオ（Ｖ）パック、オーディオ（Ａ）パック及びサブピクチャ（ＳＰ）パックにより構成され、以下、便宜上サブピクチャ（ＳＰ）パックとビデオ（Ｖ）パックをＶパックと呼ぶこともある。他方、ＡＣＢユニットの各々は、これに対応して先頭のオーディオコントロールパック（以下、Ａ−ＣＯＮＴパック）と、それに続く複数のＡパックとＶパックにより構成されている。
【００１４】
ＣＯＮＴパックには後続のＶパックを制御する情報が配置され、Ａ−ＣＯＮＴパックにはＣＤのＴＯＣ情報のように後続のＡパックのオーディオ信号を管理するための情報が配置される。Ａパックにはオーディオデータが配置され、Ｖパックにはビデオデータの他、オーディオデータ以外の例えばクローズドキャプション（ＣＣ）データが配置される。
【００１５】
次に、オーディオストリームが記録されるＡパックとその制御パックについて説明する。図２に示すようにＶＣＢユニットは０．４〜１．０秒分の任意の数のパックにより構成され、他方、ＡＣＢユニットは０．５〜１．０秒分の任意の数のパックにより構成されている。また、ＤＶＤ−オーディオのＡＣＢユニットにおけるＡ−ＣＯＮＴパックは、ＤＶＤ−ビデオのＶＣＢユニットにおける第３パックに配置される。
【００１６】
Ａ−ＣＯＮＴパックは基本的にオーディオ時間の０．５秒単位に配置され、インデックスの切れ目では０．５〜１．０秒の範囲で完結するように配置される。また、オーディオの時間（ＧＯＦ：Group of Audio Frame単位）はＡ−ＣＯＮＴパックにより示され、そのデータ位置はオーディオフレームナンバと、ファーストアクセスユニットポインタとフレームヘッダの数により決まる。また、Ａ−ＣＯＮＴパック直前のＡパックは、オーディオ時間の０．５秒単位でパディングすることを強制しない。
【００１７】
隣接するＡパックは、オーディオ信号がお互いに関連するように配置され、例えばステレオの場合にはＬチャネルパックとＲチャネルパックが隣接して配置され、また、５／６／８チャネルのマルチチャネルの場合にも同様に隣接して配置される。Ｖパックはオーディオ信号の再生時に映像を表示する場合にそのＡパックに隣接して配置される。
【００１８】
ＡパックとＶパックは、図３に示すように２０３４バイトのユーザデータ（Ａデータ、Ｖデータ）に対して４バイトのパックスタート情報と、６バイトのＳＣＲ（System Clock Reference：システム時刻基準参照値）情報と、３バイトMux rate情報と１バイトのスタッフィングの合計１４バイトのパックヘッダが付加されて構成されている（１パック＝合計２０４８バイト）。この場合、タイムスタンプであるＳＣＲ情報を、ＡＣＢユニット内の先頭パックでは「１」として同一アルバム内で連続とすることにより同一アルバム内のＡパックの時間を管理することができる。
【００１９】
これに対し、Ａ−ＣＯＮＴパックは図４に示すように、１４バイトのパックヘッダと、２４バイトのシステムヘッダと、１００３バイトのＡＣＤ（オーディオキャラクタディスプレイ）パケットと、１００７バイトのＡＳＤ（オーディオサーチデータ）パケットにより構成されている。また、ＡＣＤパケットは６バイトのパケットヘッダと、１バイトのサブストリームＩＤと、図５に詳しく示すような６７６バイトのＡＣＤ（オーディオキャラクタディスプレイ）情報と、３２０バイトのオーディオ再生制御情報により構成されている。ＡＳＤパケットは同じく６バイトのパケットヘッダ及び１バイトのサブストリームＩＤと、図７に詳しく示すような１０００バイトのＡＳＤ（オーディオサーチデータ）により構成されている。
【００２０】
ここで、図５（Ａ）及び図７（Ａ）は第１の例を示し、図５（Ｂ）及び図７（Ｂ）は第２の例を示している。６７６バイトのＡＣＤ情報エリアは、図５（Ａ）に詳しく示すように４８バイトのジェネラル情報エリアと、各々２９４バイトの文字「１」、「２」の情報エリアと４０バイトの拍子データエリアにより構成され、文字「１」、「２」の各情報エリアは９３バイトのネームスペースエリアと、各々９３バイトの２つのフリースペースエリアと１５バイトのデータポインタエリアにより構成されている。ネームスペースエリアには例えば図６に示すような楽曲名を表示するために３１バイトの１／４角のヘッダ用文字データと、６２バイトの全角、半角の本文用文字データが配置される。
【００２１】
４８バイトのジェネラル情報は、例えば１６バイトのサービスレベル情報と、１２バイトの言語コード情報と、６バイトの文字セットコード情報と、６バイトの表示アイテム情報と、２バイトの「前のＡＣＤ情報との相違」情報と、６バイトの保留情報により構成される。１６バイトのサービスレベル情報は、表示サイズ、表示の種類、オーディオ／ビデオ／ＳＰの区別、ストリームなどを示し、また、文字はマンダトリー、ビットマップはオプションである。１２バイトの言語コード情報はビデオファイルと同様に文字「１」「２」の言語をそれぞれ２バイトで示し、１ファイル中最大８言語分を示す。英語はマンダトリーである。
【００２２】
６バイトの文字セットコード情報は、言語コードに対応した文字コードを最大１５個持つことが可能であり、文字「１」「２」の言語の有無と種類を１バイトで示す。コード例を以下に示す。
１．ＩＳＯ６４６
２．ＩＳＯ８８５９−１
３．ＭＳ−ＪＩＳ
６バイトの表示アイテム情報は、図５に示すフリースペース「１」「２」、データポインタの有無、ＩＤを示す。ネームスペースはマンダトリーであり、アルバムネーム、ミュージックネーム、アーティストネームは必ず記述する。
【００２３】
４０バイトの拍子データエリアにはＡパック内のユーザデータ（音楽ソース）の拍子データとして、８ビットの拍子データが５個配置される。これにより、そのＡ−ＣＯＮＴパックが管理するＡパック内の音楽ソースの５か所の拍子がそのタイミング時間（８ビット）で記録される。
【００２４】
２９４バイトのオーディオ再生制御情報エリアの内容は任意であり、例えば各々２５バイトの１０種類分のオーディオ再生制御情報エリア（２５０バイト）と４４バイトの保留エリアにより構成される。１種類分のオーディオ再生制御情報エリアには２０バイトのグラフィックイコライザ情報と、３バイトのレベルバランス情報と２バイトの残響付加情報が配置され、この情報はユーザにより選択されてオーディオ信号の音質が制御される。これらのオーディオ再生制御情報は、Ａパックに配置されている楽曲をユーザが再生する場合に例えばその楽曲のジャンル（クラシック、ジャズ、ロック、ＢＧＭ）に応じて、また、同一ジャンルであってもその楽曲の演奏状態、録音状態、雰囲気などに応じて再生時の音質が最も良くなるようにいわゆるプロのミキサが推奨するデータである。
【００２５】
１０００バイトのＡＳＤ（オーディオサーチデータ）は、図７（Ａ）に詳しく示すように１６バイトのジェネラル情報と、８バイトの現在の番号情報と、１６バイトの現在時刻情報と、８バイトのアルバムセットサーチ情報と、８バイトのアルバムサーチ情報と、４０４バイトのトラックサーチ情報と、４０８バイトのインデックスサーチ情報と、８０バイトのハイライトサーチ情報と、５２バイトの保留エリアにより構成されている。
【００２６】
なお、拍子データはＡＣＤエリアに記録する代わりにＡＳＤエリアに記録するようにしてもよい。すなわち、図５（Ｂ）に示すようにＡＣＤエリアの４０バイトの拍子データは全て保留エリアとし、代わりに図７（Ｂ）に示すようにＡＳＤエリアの５２バイトの保留エリアの４０バイト分を拍子データとして残りの１２バイト分を保留エリアとしてもよい。
なお、拍子データは他のエリアに記録してもよい。例えば、ＣＯＮＴパックのＤＳＩデータ領域にユーザ定義データとして記録してもよく、あるいはビデオ（Ｖ）パックやサブピクチャ（ＳＰ）パックなどの関連パックにユーザ定義データとして記録してもよい。
【００２７】
なお、図１（ｂ）のＡＣＢＵは、Ａ−ＣＯＮＴパックとＣＯＮＴパックを含んでいるが、図８に示すようにＶパックとＣＯＮＴパックは含まないように構成してもよい。この場合にはビデオ信号は記録されないが、オーディオ信号の記録容量が割り増しになる特徴があり、ディスクサイズを小型化することができ、また、再生機能を簡略化することができるのでポータブル用の再生装置に適するものを提供することができる。
【００２８】
次に、図９を参照して本発明に係るＤＶＤ再生装置について説明する。ＤＶＤオーディオディスク１には、上記構造のデータがＥＦＭ変調されてピットの形式で記録されている。操作部１８やリモコン装置１９により曲目選択、再生、早送り、停止操作などが行われると、制御部２３はその操作に応じてドライブ装置２と再生装置１７を制御し、再生時にはディスク１に記録されたピットデータがドライブ装置２により読み取られた後、ＥＦＭ復調される。
【００２９】
再生装置１７では、この信号がＣＯＮＴパック検出部３とＡ−ＣＯＮＴパック検出部９に送られる。ＣＯＮＴパック検出部３はこの再生データ中のＣＯＮＴパックを検出して制御パラメータをパラメータ部８に設定するとともに、ＣＯＮＴパックにより制御されるＶパックをＶパックバッファ４に順次書き込む。Ｖパックバッファ４に書き込まれたＶパック内のユーザデータ（ビデオ信号、サブピクチャ情報）は、バッファ取り出し部５によりＶパック内のＳＣＲ（図３参照）に基づいてパック順に、また、ＣＯＮＴパック内のＰＴＳに基づいて出力時刻順に取り出され、次いで画像変換部６、Ｄ／Ａ変換部７、ビデオ出力端子１５、１５’を介してアナログビデオ信号として出力される。これらのブロック３〜８はビデオ処理部１７Ｖを構成し、このビデオ処理部１７Ｖは制御部２３の制御に基づいて内部電源スイッチ制御部３０が電源スイッチＳＷをオンにしている場合に動作する。
【００３０】
また、Ａ−ＣＯＮＴパック検出部９は再生データ中のＡ−ＣＯＮＴパックを検出して制御パラメータをパラメータ部１４に設定するとともに、Ａ−ＣＯＮＴパックにより制御されるＡパックをＡパックバッファ１０に順次書き込む。Ａパックバッファ１０に書き込まれたＡパック内のユーザデータ（オーディオ信号）は、バッファ取り出し部１１によりＳＣＲに基づいてパック順に、また、Ａ−ＣＯＮＴパック内のオーディオサーチデータＡＳＤの現在時刻（図７参照）に基づいて出力時刻順に取り出され、次いでＰＣＭ変換部１２、Ｄ／Ａ変換部１３、オーディオ出力端子１６を介してアナログオーディオ信号として出力される。また、Ａ−ＣＯＮＴパック中の表示用データ（図５、図６に示すオーディオキャラクタディスプレイ情報ＡＣＤ）は表示信号生成部２０に送られて表示信号が生成され、この表示信号は表示信号出力端子２２を介して出力されたり、内蔵の文字表示部２１に出力される。
【００３１】
図１０は図９に示す構成を機能的に示すブロック図である。再生手段２は図９に示すドライブ装置２に対応し、再生信号処理分離手段Ａ（９、１０、１１、１４）はＡ−ＣＯＮＴパック検出部９、Ａパックバッファ１０、取り出し部１１及びパラメータ部１４に対応し、オーディオ信号出力手段（１２、１３）はＰＣＭ変換部１２及びＤ／Ａ変換部１３に対応している。また、文字情報出力手段２０は表示信号生成部２０に対応し、表示手段２１は文字表示部２１に対応している。また、再生信号処理分離手段Ｖ（３、４、５、８）はＣＯＮＴパック検出部３、Ｖパックバッファ４、バッファ取り出し部５及びパラメータ部８に対応し、ビデオ信号手段とサブピクチャ情報手段（６、７）は画像変換部６及びＤ／Ａ変換部７に対応している。制御手段２３は制御部２３に対応している。
【００３２】
図１０において、制御手段２３は操作部１８やリモコン装置１９から目的の楽曲を再生するためのコマンド信号が送られてくると、その再生コマンドに応じたアドレス制御情報信号を再生手段２に送ることによりディスク１から目的の楽曲を再生する。再生信号処理分離手段Ａは再生データを分離してＡ−ＣＯＮＴ情報を制御手段２３に送り、オーディオ信号をオーディオ信号出力手段（１２、１３）に送り、文字情報を文字情報出力手段２０に送る。再生信号処理分離手段Ｖは再生データを分離してＣＯＮＴ情報を制御手段２３に送り、ビデオ信号とサブピクチャ情報をそれぞれビデオ信号手段とサブピクチャ情報手段（６、７）に送る。
【００３３】
また、ＡＭＧＩ（オーディオマネージャインフォメーション）や、ＡＡＳＩ（オーディオアルバムセットインフォメーション）の空きエリアや、図４に示すＡ−ＣＯＮＴパックのＡＣＤパケット内の保留エリアに対してＴＯＣ情報を追加して記録し、再生装置がこのＴＯＣ情報にアクセスしてＴＯＣ情報記憶部１４’に記憶して曲の頭出しを行うことができる。このＴＯＣ情報としては、ＣＤのリードインエリアに記録されているものを用いることができる。
【００３４】
そして、このＴＯＣ情報は再生開始時に読み取られてＴＯＣ情報記憶メモリ１４’に記憶され、曲又は楽章の頭出し再生が指定されると、このメモリ１４’を参照してディスク１にアクセスする。なお、このＴＯＣ情報はまた、ＡＭＧＩ、ＡＡＳＩ又はＡ−ＣＯＮＴパックに記録するとともに、更に図１０に示すようにディスク１の最内周部のリードインエリア（図示ＴＯＣ領域１ａ）に追加して記録し、再生開始時にはＴＯＣ検出手段２４がこのＴＯＣ領域１ａを独立してアクセスしてメモリ１４’に記憶するようにしてもよい。
【００３５】
次に、図１１、図１２を参照してＴＯＣ情報やサーチ情報などの再生制御情報を用いたＡ−Ｖ同期再生処理を説明する。図１１において例えば曲又は楽章の頭出し再生が指定されると、その指定位置に対応するＴＯＣ情報を参照し（ステップＳ１）、次いでそのＴＯＣ情報に基づいてセルとインデックスの場所を計算する（ステップＳ２）。次いでその場所をサーチし（ステップＳ３）、確認すると図１２に詳しく示すようなＡとＶの同期再生を行う（ステップＳ４→Ｓ５）。
【００３６】
図１２において、ＣＯＮＴパックを再生し（ステップＳ１１）、次いでＡ−ＣＯＮＴパックを再生し（ステップＳ１２）、次いでＣＯＮＴパックとＡ−ＣＯＮＴパック内の時刻情報が同一時刻か否かをチェックする（ステップＳ１３）。そして、同一時刻でない場合にはＣＯＮＴパックとＡ−ＣＯＮＴパックの両方を±１パック分だけ調整し（ステップＳ１４）、次いでステップＳ１１に戻ってそのＣＯＮＴパックとＡ−ＣＯＮＴパックを再生する。なお、ステップＳ１４では、ＣＯＮＴパックとＡ−ＣＯＮＴパックの一方を±１パック分だけ調整して、そのパックを再生するようにしてもよい。
【００３７】
ステップＳ１３においてＣＯＮＴパックとＡ−ＣＯＮＴパック内の時刻情報が同一の場合に、そのＡ−ＣＯＮＴパックにより制御されるＡパックを再生するとともにＡパックアドレス（ＳＣＲ情報）を１つインクリメントし（ステップＳ１５）、次いでそのＣＯＮＴパックにより制御されるＶパックを再生するとともにＶパックアドレス（ＳＣＲ情報）を１つインクリメントする（ステップＳ１６）。次いでそのＡパックの再生が終了したか否かをチェックし（ステップＳ１７）、終了していない場合にはステップＳ１８に進み、他方、終了した場合にはステップＳ２０に進む。
【００３８】
ステップＳ１８ではそのＶパックの再生が終了したか否かをチェックし、終了していない場合にはステップＳ１３に戻り、他方、終了した場合にはステップＳ１９に進む。ステップＳ１９ではそのＣＯＮＴパックにより制御される次のＶパックを再生するとともにＶパックアドレスを１つインクリメントし、ステップＳ１３に戻る。ステップＳ２０ではそのＡ−ＣＯＮＴパックにより制御される次のＡパックを再生するとともにＡパックアドレスを１つインクリメントし、次いでＶパックの再生が終了したか否かをチェックし（ステップＳ２１）、終了していない場合にはステップＳ２２に進み、他方、終了した場合にはステップＳ２３に進む。
【００３９】
ステップＳ２２ではそのＡ−ＣＯＮＴパックにより制御されるＡパックが最終パックか否かをチェックし、最終パックでない場合にはステップＳ１６に戻り、他方、最終パックの場合にはステップＳ１２に戻って次のＡ−ＣＯＮＴパックを再生する。ステップＳ２３ではそのＣＯＮＴパックにより制御される次のＶパックを再生するとともにＶパックアドレスを１つインクリメントし、次いでフレームの終了（ＥＯＦ）か否かをチェックし（ステップＳ２４）、ＥＯＦでない場合にはステップＳ１３に戻り、他方、ＥＯＦの場合にはこのＡ−Ｖ同期再生処理を終了する。
【００４０】
図１３は第２の実施形態として、図８に示すようにＶパックとＣＯＮＴパックは含まず、ＡパックとＡ−ＣＯＮＴパックのみを含むように構成したディスクを再生する装置を示し、ビデオ処理部２７Ｖが省略されている。また、オーディオ信号出力手段１２、１３が出力中のＡパックを制御するＡ−ＣＯＮＴパックより前のＡ−ＣＯＮＴパック内のＡＣＤ情報を先読みしてＡＣＤ記憶部１４に記憶し、また、ＡＣＤ情報内の文字情報を表示手段２１として平面マトリクスディスプレイ２１’に表示するようにしてもよい。
【００４１】
図１４は第３の実施形態として、ディスク１の最内周部のリードインエリア（図示ＴＯＣ領域１ａ）に追加して記録し、再生開始時にはＴＯＣ検出手段２４がこのＴＯＣ領域１ａを独立してアクセスしてメモリ１４’に記憶する再生装置を示している。また、この構成では、図５に示すＡＣＤパケット内にプロのミキサが推奨する音質で再生するためのオーディオ再生制御情報が記録されている場合、音質制御情報出力手段３１と音質／レベル制御処理手段３２を設けてこの制御情報に基づいて音質を制御するように構成されている。
【００４２】
図１５は図１０、図１３、図１４に示す制御手段２３内のスクラッチ再生装置を示し、図１０、図１３、図１４に示す再生手段２及び再生信号処理分離手段Ａにより分離されたＡ−ＣＯＮＴパック内の拍子データが拍子データデコーダ５１によりデコードされる。また、スクラッチＯＮ／ＯＦＦ部５６と再生アドレス修正回路５８からのアドレス制御情報信号が図１０、図１３、図１４に示す再生手段２に送られ、再生手段２はこのアドレス制御情報信号が示す位置をディスク１から再生する。
【００４３】
図１５において、拍子データデコーダ５１によりデコードされた拍子データは、コンパレータ５２と拍子データ計算部５５に印加され、また、拍子データ計算部５５にはユーザにより操作部１８やリモコン１９を介して１又は２以上の拍子データ（アドレスデータ）が指定されると操作部１８からそのスクラッチ再生位置コマンドが入力する。拍子データ計算部５５は、拍子データデコーダ５１から送られてくるその時点の拍子データより指定拍子データ数より先（未来）の拍子データをカウントして検出し、設定メモリ部５４の最初の拍子データエリアに格納する。
【００４４】
次に２以上の拍子データが指定されると、拍子データ計算部５５はその時点の拍子データより指定拍子データ数より後（過去）の拍子データ数をカウントして検出し、設定メモリ部５４の２番目の拍子データエリアに格納する。以下同様にして３番目〜Ｎ番目の拍子データをそれぞれ設定メモリ部５４の３番目〜Ｎ番目の拍子データエリアに格納する。
【００４５】
そして、拍子データ選択カウンタ５６は初期状態ではセレクタ５３に対して設定メモリ部５４の最初の拍子データを選択する信号を出力しており、このとき、操作部１８からのスクラッチ再生開始コマンド信号がスクラッチＯＮ／ＯＦＦ部５６に印加されると、セレクタ５３は設定メモリ部５４の最初の拍子データを選択してコンパレータ５２に供給する。コンパレータ５２はこの最初の拍子データと拍子データデコーダ５１から送られてくる拍子データを比較し、その比較結果を拍子データ選択カウンタ５６と、Ｆ／Ｒカウンタ５７と、再生アドレス修正回路５８とスクラッチＯＮ／ＯＦＦ部５６に印加する。
【００４６】
コンパレータ５２の比較結果が「不一致」の場合には、Ｆ／Ｒカウンタ５７はフォワード信号Ｆを再生アドレス修正回路５８に供給し、再生アドレス修正回路５８はフォワード信号Ｆが入力すると、光ディスク１の再生アドレスをフォワード方向に飛び飛びに修正し、この修正した再生アドレスを含むアドレス制御情報信号を再生手段２に出力する。再生手段２はこの再生アドレスに基づいて光ディスク１を再生し、これによりアナログディスクが早送りで再生されるかのように、オーディオ信号のピッチが高めになるように再生される。
【００４７】
そして、コンパレータ５２の比較結果が「一致」になると、すなわち設定メモリ部５４の最初の拍子データまで再生されると、Ｆ／Ｒカウンタ５７はリバース信号Ｒを再生アドレス修正回路５８に供給し、また、拍子データ選択カウンタ５６はカウントアップしてセレクタ５３に対して設定メモリ部５４の２番目の拍子データを選択する信号を出力する。再生アドレス修正回路５８はリバース信号Ｒが入力すると、光ディスク１の再生アドレスをリバース方向に飛び飛びに修正し、この修正した再生アドレスを含むアドレス制御情報信号を再生手段２に出力する。再生手段２はこの再生アドレスに基づいて光ディスク１を再生し、これによりアナログディスクが早戻しで再生されるかのように、オーディオ信号のピッチが高めになるように再生される。
【００４８】
以下同様に、設定メモリ部５４のＮ番目の拍子データまでアナログディスクの早送り、早戻しと等価な状態で再生が行われる。そして、Ｎ番目の拍子データまで終了するとコンパレータ５２からスクラッチＯＮ／ＯＦＦ部５６に対して指定数分の「一致信号」が送られるので、スクラッチＯＮ／ＯＦＦ部５６は再生手段２に対してスクラッチ再生終了信号を含むアドレス制御情報信号を出力する。なお、このスクラッチ再生中には、ビデオ信号と文字情報はそれぞれ図１０に示すビデオ信号出力手段６、７と文字情報出力手段２０によりホールドされ、更新されない。
なお、拍子データがＡ−ＣＯＮＴパック内に記録されず他のエリアに記録されている場合、例えば、ＣＯＮＴパックのＤＳＩデータ領域にユーザ定義データとして記録されていたり、あるいはビデオ（Ｖ）パックやサブピクチャ（ＳＰ）パックなどにユーザ定義データとして記録されている場合のディスクに対してスクラッチ再生するにはそれらのエリアから拍子データが読み出され拍子データデコーダ５１によりデコードされるようにすることができる。
【００４９】
【発明の効果】
以上説明したように本発明によれば、オーディオデータの拍子を表す拍子データをディスクに記録し、ディスクから再生したこの拍子データと設定拍子データに基づいてスクラッチ再生するようにしたので、音楽ソースの拍子の区切りでスクラッチ再生することができる。
【図面の簡単な説明】
【図１】  ＤＶＤ−ビデオのフォーマットと、ディスクの一実施形態としてＤＶＤ−オーディオのフォーマットを示す説明図である。
【図２】  図１のオーディオコンテンツブロックユニット（ＡＣＢＵ）のフォーマットを示す説明図である。
【図３】  図２のオーディオパックとビデオパックのフォーマットを詳しく示す説明図である。
【図４】  図２のオーディオコントロール（Ａ−ＣＯＮＴ）パックのフォーマットを詳しく示す説明図である。
【図５】  図４のオーディオキャラクタディスプレイ（ＡＣＤ）エリアのフォーマットを詳しく示す説明図である。
【図６】  図５のネームスペース情報により表示される例を示す説明図である。
【図７】  図４のオーディオサーチデータ（ＡＳＤ）エリアのフォーマットを詳しく示す説明図である。
【図８】  図２のオーディオコンテンツブロックユニットの変形例を示す説明図である。
【図９】    本発明に係るディスクのスクラッチ再生装置の一実施形態としてＤＶＤ再生装置を示すブロック図である。
【図１０】  図９のＤＶＤ再生装置を機能的に示すブロック図である。
【図１１】  Ａ−Ｖ同期再生処理を説明するためのフローチャートである。
【図１２】  Ａ−Ｖ同期再生処理を説明するためのフローチャートである。
【図１３】  ＤＶＤ再生装置の第２の実施形態を示すブロック図である。
【図１４】  ＤＶＤ再生装置の第３の実施形態を示すブロック図である。
【図１５】  ＤＶＤ再生装置内のスクラッチ再生装置を示すブロック図である。
【図１】
0004088846.tif 000002
【図２】
0004088846.tif 000003
【図３】
0004088846.tif 000004
【図４】
0004088846.tif 000005
【図５】
0004088846.tif 000006
【図６】
0004088846.tif 000007
【図７】
0004088846.tif 000008
【図８】
0004088846.tif 000009
【図９】
0004088846.tif 000010
【図１０】
0004088846.tif 000011
【図１１】
0004088846.tif 000012
【図１２】
0004088846.tif 000013
【図１３】
0004088846.tif 000014
【図１４】
0004088846.tif 000015
【図１５】
0004088846.tif 000016